(57)【要約】  撮像装置は、第１のマウント部と、第１のマウント部とは異なる色で構成され、第１のマウントの周方向に配された第１の筒状部材とを有し、アクセサリは、外装部分と、第２のマウント部と、第２のマウント部とは異なる色であって第１の筒状部材と同系色の色で構成され、第２のマウントの周方向に配された第２の筒状部材とを有し、撮像装置にアクセサリが装着された状態で、第１のマウント部と第２のマウント部とが当接し、第１、第２の筒状部材は、撮像装置へのアクセサリの着脱にかかわらず外部に露出していることを特徴とする構成とした。
2020031371.tif 000002
【特許請求の範囲】
【請求項１】
撮像装置と、当該撮像装置に着脱可能なアクセサリとを有するカメラシステムにおいて、
前記撮像装置は、
第１のマウント部と、前記第１のマウント部とは異なる色で構成され、前記第１のマウントの周方向に配された第１の筒状部材と、を有し、
前記アクセサリは、
外装部分と、第２のマウント部と、前記第２のマウント部とは異なる色であって、前記第１の筒状部材と同系色の色で構成され、前記第２のマウントの周方向に配された第２の筒状部材と、を有し、
前記撮像装置に前記アクセサリが装着された状態で、
前記第１のマウント部と前記第２のマウント部とが互いの基準面で当接し、
前記第１、第２の筒状部材は、前記撮像装置への前記アクセサリの着脱にかかわらず外部に露出していることを特徴とするカメラシステム。
【請求項２】
前記撮像装置に前記アクセサリが装着された状態で、前記第１の筒状部材と前記第２の筒状部材とが近接していることを特徴とする請求項１に記載のカメラシステム。
【請求項３】
前記アクセサリは、
前記撮像装置に対する前記アクセサリの回転位相をユーザーが視認するための第１の指標を有し、
前記外装部分は、前記第２の筒状部材の外部への露出が他の部分よりも大きくなるように凹部が形成されており、
前記第１の指標は、前記第２の筒状部材の前記凹部に対応する位置に配されていることを特徴とする請求項１又は２に記載のカメラシステム。
【請求項４】
前記第２の筒状部材は、前記外装部分と連続的に形成されていることを特徴とする請求項３に記載のカメラシステム。
【請求項５】
前記撮像装置は、
前記アクセサリの装着状態のロックを解除する操作部材と、
ユーザーにより把持されるグリップ部と、を有し、
前記アクセサリは、
前記凹部として、第１の凹部と第２の凹部とを有し、
前記撮像装置に前記アクセサリが装着された状態で、
前記第１の凹部が、前記操作部材の周辺に位置し、
前記第２の凹部が、前記グリップ部の周辺に位置することを特徴とする請求項３又は４に記載のカメラシステム。
【請求項６】
前記第１の指標は、前記第１の凹部に対応する位置に配されていることを特徴とする請求項５に記載のカメラシステム。
【請求項７】
前記撮像装置は、
前記撮像装置に前記アクセサリを装着する際に、前記アクセサリの前記第１の指標に対応する第２の指標を有していることを特徴とする請求項３乃至６の何れか１項に記載のカメラシステム。
【請求項８】
前記第２の指標は、前記第１のマウント部の基準面に配されており、前記撮像装置に前記アクセサリが装着された状態で、前記撮像装置の外部に露出しないことを特徴とする請求項７に記載のカメラシステム。
【請求項９】
前記撮像装置は、
前記第１のマウント部と前記第１の筒状部材との間に、非導電性の樹脂材料で形成された保護部材を有していることを特徴とする請求項１乃至８の何れか１項に記載のカメラシステム。
【請求項１０】
前記第１の筒状部材および前記第２の筒状部材は、同一の金属材料で形成されることで、同一の特定色となるように構成されることを特徴とする請求項１乃至９の何れか１項に記載のカメラシステム。
【請求項１１】
前記第１の筒状部材および前記第２の筒状部材は、同一の処理が施されることで、同一の特定色となるように構成されることを特徴とする請求項１乃至１０の何れか１項に記載のカメラシステム。
【請求項１２】
前記同一の特定色は、前記第１のマウント部および前記第２のマウント部とは異なる色であることを特徴とする請求項１０又は１１に記載のカメラシステム。
【請求項１３】
撮像装置と、前記撮像装置に着脱可能なアクセサリ、とを有し、
前記撮像装置は、
第１のマウント部と、前記第１のマウント部とは異なる色で構成され、前記第１のマウントの周方向に配された第１の筒状部材と、を有し、
前記アクセサリは、
外装部分と、第２のマウント部と、前記第２のマウント部とは異なる色であって、前記第１の筒状部材と同系色の色で構成され、記第２のマウントの周方向に配された第２の筒状部材と、を有し、
前記撮像装置に前記アクセサリが装着された状態で、
前記第１のマウント部と前記第２のマウント部とが互いの基準面で当接し、
前記第１、第２の筒状部材は、前記撮像装置への前記アクセサリの着脱にかかわらず、前記撮像装置の外部に露出していることを特徴とするカメラシステムにおける撮像装置。
【請求項１４】
前記撮像装置に前記アクセサリが装着された状態で、前記第１の筒状部材と前記第２の筒状部材とが近接していることを特徴とする請求項１３に記載のカメラシステムにおける撮像装置。
【請求項１５】
前記撮像装置は、
前記アクセサリの装着状態のロックを解除する操作部材と、
ユーザーにより把持されるグリップ部と、を有し、
前記アクセサリは、
前記外装部分は、前記第２の筒状部材の外部への露出が他の部分よりも大きくなるように
第１の凹部と第２の凹部が形成されており、
前記撮像装置に前記アクセサリが装着された状態で、
前記第１の凹部が、前記操作部材の周辺に位置し、
前記第２の凹部が、前記グリップ部の周辺に位置することを特徴とする請求項１３又は１４に記載のカメラシステムにおける撮像装置。
【請求項１６】
前記撮像装置は、
前記撮像装置に前記アクセサリを装着する際に、前記アクセサリに設けられた前記撮像装置に対する前記アクセサリの回転位相をユーザーが視認するための第１の指標に対応する第２の指標を有し、
前記第１の指標は、前記第２の筒状部材の前記第１の凹部に対応する位置に配されており、
前記第２の指標は、前記第１のマウント部の基準面に配されており、前記撮像装置に前記アクセサリが装着された状態で、前記撮像装置の外部に露出しないことを特徴とする請求項１５に記載のカメラシステムにおける撮像装置。
【請求項１７】
前記撮像装置は、
前記第１のマウント部と前記第１の筒状部材との間に、非導電性の樹脂材料で形成された保護部材を有していることを特徴とする請求項１３乃至１６の何れか１項に記載のカメラシステムにおける撮像装置。
【請求項１８】
前記第１の筒状部材および前記第２の筒状部材は、同一の金属材料で形成されることで、同一の特定色となるように構成されることを特徴とする請求項１３乃至１７の何れか１項に記載のカメラシステムにおける撮像装置。
【請求項１９】
前記第１の筒状部材および前記第２の筒状部材は、同一の処理が施されることで、同一の特定色となるように構成されることを特徴とする請求項１３乃至１８の何れか１項に記載のカメラシステムにおける撮像装置。
【請求項２０】
前記同一の特定色は、前記第１のマウント部とは異なる色であることを特徴とする請求項１８又は１９に記載のカメラシステムにおける撮像装置。
【請求項２１】
撮像装置と、当該撮像装置に着脱可能なアクセサリとを有し、
前記撮像装置は、
第１のマウント部と、前記第１のマウント部とは異なる色で構成され、前記第１のマウントの周方向に配された第１の筒状部材と、を有し、
前記アクセサリは、
外装部分と、第２のマウント部と、前記第２のマウント部とは異なる色であって、前記第１の筒状部材と同系色の色で構成され、前記第２のマウントの周方向に配された第２の筒状部材と、を有し、
前記撮像装置に前記アクセサリが装着された状態で、
前記第１のマウント部と前記第２のマウント部とが互いの基準面で当接し、
前記第１、第２の筒状部材は、前記撮像装置への前記アクセサリの着脱にかかわらず、前記撮像装置の外部に露出していることを特徴とするカメラシステムにおけるアクセサリ。
【請求項２２】
前記撮像装置に前記アクセサリが装着された状態で、前記第１の筒状部材と前記第２の筒状部材とが近接していることを特徴とする請求項２１に記載のカメラシステムにおけるアクセサリ。
【請求項２３】
前記アクセサリは、
前記撮像装置に対する前記アクセサリの回転位相をユーザーが視認するための第１の指標を有し、
前記外装部分は、前記第２の筒状部材の外部への露出が他の部分よりも大きくなるように凹部が形成されており、
前記第１の指標は、前記第２の筒状部材の前記凹部に対応する位置に配されていることを特徴とする請求項２１又は２２に記載のカメラシステムにおけるアクセサリ。
【請求項２４】
前記第２の筒状部材は、前記外装部分と連続的に形成されていることを特徴とする請求項２３に記載のカメラシステムにおけるアクセサリ
【請求項２５】
前記撮像装置は、
前記アクセサリの装着状態のロックを解除する操作部材と、
ユーザーにより把持されるグリップ部と、を有し、
前記アクセサリは、
前記凹部として、第１の凹部と第２の凹部とを有し、
前記撮像装置に前記アクセサリが装着された状態で、
前記第１の凹部が、前記操作部材の周辺に位置し、
前記第２の凹部が、前記グリップ部の周辺に位置することを特徴とする請求項２３又は２４に記載のカメラシステムにおけるアクセサリ。
【請求項２６】
前記第１の指標は、前記第１の凹部に対応する位置に配されていることを特徴とする請求項２５に記載のカメラシステムにおけるアクセサリ。
【請求項２７】
前記第１の筒状部材および前記第２の筒状部材は、同一の金属材料で形成されることで、同一の特定色となるように構成されることを特徴とする請求項２１乃至２６の何れか１項に記載のカメラシステムにおけるアクセサリ。
【請求項２８】
前記第１の筒状部材および前記第２の筒状部材は、同一の処理が施されることで、同一の特定色となるように構成されることを特徴とする請求項２１乃至２７の何れか１項に記載のカメラシステムにおけるアクセサリ。
【請求項２９】
前記同一の特定色は、前記第２のマウント部とは異なる色であることを特徴とする請求項２７又は２８に記載のカメラシステムにおけるアクセサリ。
【請求項３０】
撮像装置と、当該撮像装置に着脱可能なアクセサリとを有するカメラシステムにおいて、
前記撮像装置は、
第１のマウント部と、前記第１のマウント部とは異なる色で構成され、前記第１のマウントの周方向に配された第１の筒状部材と、を有し、
前記アクセサリは、
外装部分と、前記外装部分とは異なる色であって、前記第１の筒状部材と同系色の色で構成され、前記第２のマウントの周方向に配された第２の筒状部材と、
前記撮像装置に前記アクセサリが装着された状態で、前記第１のマウント部と互いの基準面で当接する第２のマウント部と、を有し、
前記第１、第２の筒状部材は、前記撮像装置への前記アクセサリの着脱にかかわらず外観を形成していることを特徴とするカメラシステム。
【請求項３１】
前記第１の筒状部材は、前記撮像装置への前記アクセサリの着脱にかかわらず、前記撮像装置の外観の一部を形成し、
前記第２の筒状部材は、前記撮像装置への前記アクセサリの着脱にかかわらず、前記アクセサリの外観の一部を形成していることを特徴とする請求項３０に記載のカメラシステム。
【請求項３２】
前記撮像装置に前記アクセサリが装着された状態で、前記第１の筒状部材と前記第２の筒状部材とが近接していることを特徴とする請求項３０又は３１に記載のカメラシステム。
【請求項３３】
前記アクセサリは、
前記撮像装置に対する前記アクセサリの回転位相をユーザーが視認可能な第１の指標を有し、
前記外装部分は、前記第２の筒状部材が光軸方向に他の部分よりも広く外観を形成する凹部を備え、
前記凹部は、前記第１の指標に対応する位置に配されていることを特徴とする請求項３０乃至３２の何れか１項に記載のカメラシステム。
【請求項３４】
前記第２の筒状部材は、前記外装部分と連続的に形成されていることを特徴とする請求項３３に記載のカメラシステム。
【請求項３５】
前記撮像装置は、
前記アクセサリの装着状態のロックを解除する操作部材と、
ユーザーにより把持されるグリップ部と、を有し、
前記アクセサリは、
前記凹部として、第１の凹部と第２の凹部とを有し、
前記撮像装置に前記アクセサリが装着された状態で、
前記第１の凹部が、前記操作部材の周辺に位置し、
前記第２の凹部が、前記グリップ部の周辺に位置することを特徴とする請求項３３又は３４に記載のカメラシステム。
【請求項３６】
前記第１の指標は、前記第１の凹部に対応する位置に配されていることを特徴とする請求項３５に記載のカメラシステム。
【請求項３７】
前記撮像装置は、
前記撮像装置に前記アクセサリを装着する際に、前記アクセサリの前記第１の指標に対応する第２の指標を前記第１のマウント部の基準面に有していることを特徴とする請求項３３乃至３６の何れか１項に記載のカメラシステム。
【請求項３８】
前記第２の指標は、前記撮像装置に前記アクセサリが装着された状態で、前記撮像装置の外部に露出しないことを特徴とする請求項３７に記載のカメラシステム。
【請求項３９】
前記撮像装置は、
前記第１のマウント部と前記第１の筒状部材との間に、非導電性の樹脂材料で形成された保護部材を有していることを特徴とする請求項３０乃至３８の何れか１項に記載のカメラシステム。
【請求項４０】
前記第１の筒状部材および前記第２の筒状部材は、同一の金属材料で形成されることで、同一の特定色となるように構成されることを特徴とする請求項３０乃至３９の何れか１項に記載のカメラシステム。
【請求項４１】
前記第１の筒状部材および前記第２の筒状部材は、同一の処理が施されることで、同一の特定色となるように構成されることを特徴とする請求項３０乃至４０の何れか１項に記載のカメラシステム。
【請求項４２】
前記同一の特定色は、前記第１のマウント部および前記第２のマウント部とは異なる色であることを特徴とする請求項４０又は４１に記載のカメラシステム。
【請求項４３】
撮像装置と、前記撮像装置に着脱可能なアクセサリ、とを有し、
前記撮像装置は、
第１のマウント部と、前記第１のマウント部とは異なる色で構成され、前記第１のマウントの周方向に配された第１の筒状部材と、を有し、
前記アクセサリは、
外装部分と、前記第２のマウント部とは異なる色であって、前記第１の筒状部材と同系色の色で構成され、記第２のマウントの周方向に配された第２の筒状部材と、
前記撮像装置に前記アクセサリが装着された状態で、前記第１のマウント部と互いの基準面で当接する第２のマウント部と、を有し、
前記第１、第２の筒状部材は、前記撮像装置への前記アクセサリの着脱にかかわらず外観を形成していることを特徴とするカメラシステムにおける撮像装置。
【請求項４４】
前記第１の筒状部材は、前記撮像装置への前記アクセサリの着脱にかかわらず、前記撮像装置の外観の一部を形成していることを特徴とする請求項４３に記載のカメラシステムにおける撮像装置。
【請求項４５】
前記撮像装置に前記アクセサリが装着された状態で、前記第１の筒状部材と前記第２の筒状部材とが近接していることを特徴とする請求項４３又は４４に記載のカメラシステムにおける撮像装置。
【請求項４６】
前記撮像装置は、
前記アクセサリの装着状態のロックを解除する操作部材と、
ユーザーにより把持されるグリップ部と、を有し、
前記アクセサリは、
前記外装部分は、前記第２の筒状部材の外部への露出が他の部分よりも大きくなるように第１の凹部と第２の凹部が形成されており、
前記撮像装置に前記アクセサリが装着された状態で、
前記第１の凹部が、前記操作部材の周辺に位置し、
前記第２の凹部が、前記グリップ部の周辺に位置することを特徴とする請求項４４又は４５に記載のカメラシステムにおける撮像装置。
【請求項４７】
前記撮像装置は、
前記撮像装置に前記アクセサリを装着する際に、前記アクセサリに設けられた前記撮像装置に対する前記アクセサリの回転位相をユーザーが視認するための第１の指標に対応する第２の指標を有し、
前記第１の指標は、前記第２の筒状部材の前記第１の凹部に対応する位置に配されており、
前記第２の指標は、前記第１のマウント部の基準面に配されており、前記撮像装置に前記アクセサリが装着された状態で、前記撮像装置の外部に露出しないことを特徴とする請求項４６に記載のカメラシステムにおける撮像装置。
【請求項４８】
前記撮像装置は、
前記第１のマウント部と前記第１の筒状部材との間に、非導電性の樹脂材料で形成された保護部材を有していることを特徴とする請求項４３乃至４７の何れか１項に記載のカメラシステムにおける撮像装置。
【請求項４９】
前記第１の筒状部材および前記第２の筒状部材は、同一の金属材料で形成されることで、同一の特定色となるように構成されることを特徴とする請求項４３乃至４８の何れか１項に記載のカメラシステムにおける撮像装置。
【請求項５０】
前記第１の筒状部材および前記第２の筒状部材は、同一の処理が施されることで、同一の特定色となるように構成されることを特徴とする請求項４３乃至４９の何れか１項に記載のカメラシステムにおける撮像装置。
【請求項５１】
前記同一の特定色は、前記第１のマウント部とは異なる色であることを特徴とする請求項４９又は５０に記載のカメラシステムにおける撮像装置。
【請求項５２】
撮像装置と、当該撮像装置に着脱可能なアクセサリとを有し、
前記撮像装置は、
第１のマウント部と、前記第１のマウント部とは異なる色で構成され、前記第１のマウントの周方向に配された第１の筒状部材と、を有し、
前記アクセサリは、
外装部分と、前記第２のマウント部とは異なる色であって、前記第１の筒状部材と同系色の色で構成され、前記第２のマウントの周方向に配された第２の筒状部材と、
前記撮像装置に前記アクセサリが装着された状態で、前記第１のマウント部と互いの基準面で当接する第２のマウント部と、を有し、
前記第１、第２の筒状部材は、前記撮像装置への前記アクセサリの着脱にかかわらず、前記撮像装置の外観を形成していることを特徴とするカメラシステムにおけるアクセサリ。
【請求項５３】
前記第２の筒状部材は、前記撮像装置への前記アクセサリの着脱にかかわらず、前記アクセサリの外観の一部を形成していることを特徴とする請求項５２に記載のカメラシステムにおけるアクセサリ。
【請求項５４】
前記撮像装置に前記アクセサリが装着された状態で、前記第１の筒状部材と前記第２の筒状部材とが近接していることを特徴とする請求項５２又は５３に記載のカメラシステムにおけるアクセサリ。
【請求項５５】
前記アクセサリは、
前記撮像装置に対する前記アクセサリの回転位相をユーザーが視認可能な第１の指標を有し、
前記外装部分は、前記第２の筒状部材が光軸方向に他の部分よりも広く外観を形成する凹部を備え、
前記凹部は、前記第１の指標に対応する位置に配されていることを特徴とする請求項５３又は５４に記載のカメラシステムにおけるアクセサリ。
【請求項５６】
前記第２の筒状部材は、前記外装部分と連続的に形成されていることを特徴とする請求項５５に記載のカメラシステムにおけるアクセサリ
【請求項５７】
前記撮像装置は、
前記アクセサリの装着状態のロックを解除する操作部材と、
ユーザーにより把持されるグリップ部と、を有し、
前記アクセサリは、
前記凹部として、第１の凹部と第２の凹部とを有し、
前記撮像装置に前記アクセサリが装着された状態で、
前記第１の凹部が、前記操作部材の周辺に位置し、
前記第２の凹部が、前記グリップ部の周辺に位置することを特徴とする請求項５５又は５６に記載のカメラシステムにおけるアクセサリ。
【請求項５８】
前記第１の指標は、前記第１の凹部に対応する位置に配されていることを特徴とする請求項５６に記載のカメラシステムにおけるアクセサリ。
【請求項５９】
前記第１の筒状部材および前記第２の筒状部材は、同一の金属材料で形成されることで、同一の特定色となるように構成されることを特徴とする請求項５２乃至５７の何れか１項に記載のカメラシステムにおけるアクセサリ。
【請求項６０】
前記第１の筒状部材および前記第２の筒状部材は、同一の処理が施されることで、同一の特定色となるように構成されることを特徴とする請求項５２乃至５８の何れか１項に記載のカメラシステムにおけるアクセサリ。
【請求項６１】
前記同一の特定色は、前記第２のマウント部とは異なる色であることを特徴とする請求項５８又は５９に記載のカメラシステムにおけるアクセサリ。
【発明の詳細な説明】
【技術分野】
【０００１】
本発明は、マウントを備えた撮像装置および該撮像装置に着脱可能なアクセサリに関する。
【背景技術】
【０００２】
従来、撮像装置としてのカメラと交換レンズなどのカメラアクセサリとを接続し、さらに両者を電気的に接続可能なマウントシステムが知られている。例えば、カメラ側に複数のカメラ側接点面を備え、カメラアクセサリ側に、当該カメラ側接点面に対応した複数のレンズ側接点面を有するマウントシステムが知られている。【０００３】
このようなマウントシステムを採用したカメラ、及びカメラアクセサリとの組み合わせとしては、例えばレンズ側とカメラ側のフランジバックが異なる場合やレンズの画角と撮像素子のサイズが異なる場合など、対応していない組み合わせが存在する。例えば、フランジバックが異なるカメラとカメラアクセサリの組み合わせを装着してしまうと、撮像面で焦点を結ばない等の不具合が発生する。また、交換レンズの画角と撮像素子のサイズが異なるカメラとカメラアクセサリの組み合わせを装着してしまうと、周辺が暗い画像やユーザーが意図しない画角の画像が撮影されてしまう。【０００４】
したがって、従来から互いに対応しない組み合せで、カメラとカメラアクセサリとが接続されないように、レンズ側とカメラ側のマウントの径や突起物の位相を異ならせることで物理的に装着することを防止する方法がある。また、カメラとカメラアクセサリとが対応する組み合わせであることを使用者に対して強調することで、カメラに対応しないカメラアクセサリが装着されることを防止する方法がある。【０００５】
特許文献１では、フランジバックが同一であって、バックフォーカスが短いレンズの突出部がカメラボディに設けられた壁部に当接することで、バックフォーカスが短いレンズを装着できないカメラボディへの当該レンズの誤装着を防止する技術が提案されている。【０００６】
また、特許文献２では、ユーザーが交換レンズを撮像装置に装着する際に互いの互換性がわかるように、交換レンズと撮像装置のマウント部の接合面の平行な面に、各マウント部とは異なる特定の色を付けたリング状の着色領域を設ける技術が提案されている。
【先行技術文献】
【特許文献】
【０００７】
【特許文献１】特開２００５−７０７１２号公報
【特許文献２】特開２００９−１０４１８５号公報
【発明の概要】
【発明が解決しようとする課題】
【０００８】
しかしながら、上述の特許文献１で提案されている技術では、例えば、見た目のマウント径が略同一の場合など、ユーザーが視認しただけでは、カメラとカメラアクセサリとが対応していない組み合せであるか否かを容易に識別できない場合がある。この場合、ユーザーが実際にカメラアクセサリをカメラに装着する作業を行わないと、互いに対応している組み合わせであるか否かを識別できず、ユーザーが複数のカメラアクセサリを使用して撮影する場合など事前に装着確認をしておく必要がある。【０００９】
また、上述の特許文献２で提案されている技術では、交換レンズと撮像装置のマウント部の接合面に特定の色による着色領域を設けているため、接合面が見えない位置から撮像装置および交換レンズをユーザーが見た場合に、両者が互いに対応している組合せであるか否かを判断するのは困難である。【００１０】
特に、カメラにカメラアクセサリが装着されている状態では、接合面（当接面）は装置の外部に露出せず、また、マウント部分に設けられバヨネット爪部や電気接続用の端子、取り付け用の指標などを視認できない。この場合、これらのカメラ及びカメラアクセサリが互いに対応している組み合わせであるか否かをユーザーが判別できず、対応しない組み合わせで撮影が行われてしまうとユーザーが意図しない不自然な画像が取得されてしまう虞がある。【００１１】
本発明の目的は、撮像装置へのアクセサリの着脱にかかわらず、撮像装置およびアクセサリの対応する組み合わせを容易に識別可能とすることである。
【課題を解決するための手段】
【００１２】
上記目的を達成するために、本発明は、撮像装置と、当該撮像装置に着脱可能なアクセサリとを有するカメラシステムにおいて、前記撮像装置は、第１のマウント部と、前記第１のマウント部とは異なる色で構成され、前記第１のマウントの周方向に配された第１の筒状部材と、を有し、
前記アクセサリは、
外装部分と、第２のマウント部と、前記第２のマウント部とは異なる色であって、前記第１の筒状部材と同系色の色で構成され、前記第２のマウントの周方向に配された第２の筒状部材と、を有し、前記撮像装置に前記アクセサリが装着された状態で、前記第１のマウント部と前記第２のマウント部とが互いの基準面で当接し、前記第１、第２の筒状部材は、前記撮像装置への前記アクセサリの着脱にかかわらず外部に露出していることを特徴とする。
【発明の効果】
【００１３】
本発明によれば、撮像装置へのアクセサリの着脱にかかわらず、撮像装置およびアクセサリの対応する組み合わせを容易に識別できる。
【図面の簡単な説明】
【００１４】
【図１】レンズユニット１５０と該レンズユニット１５０が取り外し可能に装着されたデジタルカメラ１００の前面斜視図である。
【図２Ａ】レンズユニット１５０とデジタルカメラ１００の装着方法を示した概略図である。
【図２Ｂ】レンズユニット１５０とデジタルカメラ１００の装着方法を示した概略図である。
【図３Ａ】デジタルカメラ１００の外観図である。
【図３Ｂ】デジタルカメラ１００の外観図である。
【図４】デジタルカメラ１００とレンズユニット１５０のハードウェア構成例を示す概略ブロック図である。
【図５Ａ】デジタルカメラ１００とレンズユニット１５０の分解斜視図を例示的に説明する図である。
【図５Ｂ】デジタルカメラ１００とレンズユニット１５０の分解斜視図を例示的に説明する図である。
【図６Ａ】デジタルカメラ１００およびレンズユニット１５０の各部とカメラマウント識別リング２０６およびレンズマウント識別リング３０４との関係性を例示的に説明する図である。
【図６Ｂ】デジタルカメラ１００およびレンズユニット１５０の各部とカメラマウント識別リング２０６およびレンズマウント識別リング３０４との関係性を例示的に説明する図である。
【図７】レンズ鏡筒３０２およびレンズマウント識別リング３０４とレンズマウント指標３０５との関係性について例示的に説明する図である。
【図８Ａ】デジタルカメラ１００に装着可能な種々のアダプタとデジタルカメラ１００との対応関係について例示的に説明する図である。
【図８Ｂ】デジタルカメラ１００に装着可能な種々のアダプタとデジタルカメラ１００との対応関係について例示的に説明する図である。
【発明を実施するための形態】
【００１５】
（実施形態）
以下、図面を参照して本発明の好適な実施形態を説明する。
【００１６】
（カメラシステムの基本構成）
図１は、本発明を適用可能な装置の一例としてカメラアクセサリとしてのレンズユニット１５０と該レンズユニット１５０が取り外し可能に装着されたデジタルカメラ１００の前面斜視図である。また、図２は、レンズユニット１５０とデジタルカメラ１００の装着方法を示した概略図であり、図２Ａは、デジタルカメラ１００にレンズユニット１５０が取り付けられる前の状態を示し、図２Ｂは、取り付ける状態を示している。図３は、デジタルカメラ１００の外観図であって、図３Ａはデジタルカメラ１００の前面斜視図であり、図３Ｂはデジタルカメラ１００の背面斜視図である。
【００１７】
図１に図示するように、デジタルカメラ１００にレンズユニット１５０が装着された状態で、後述するカメラマウント識別リング２０６とレンズマウント識別リング３０４、レンズマウント指標３０５が、機器の外部に露出し、ユーザーにより視認可能である。なお、カメラマウント識別リング２０６およびレンズマウント識別リング３０４については、以降説明する各図において網掛け（ハッチング）で示すことで強調している。
【００１８】
図２Ａ、Ｂに図示するようにデジタルカメラ１００とレンズユニット１５０は、カメラマウント２０１とレンズマウント３０１の基準面（当接面）が互いに接触した状態で、非ロック位置からロック位置へと相対的に回転（移動）し、互いに接続される。なお、図２Ｂに示す状態は、カメラマウント２０１に対するレンズマウント３０１の非ロック位置を示している。この状態から、デジタルカメラ１００に対してレンズユニット１５０を、図中の矢印方向に相対的に回転することで、カメラマウント２０１に対してレンズマウント３０１をロック位置に移動することができる。カメラマウント２０１とレンズマウント３０１の装着準備位置（非ロック位置）と装着完了位置（ロック位置）の回転位相は、デジタルカメラ１００とレンズユニット１５０に設けられたカメラマウント指標２０９とレンズマウント指標３０５により視認できる。なお、レンズマウント指標（第１の指標）３０５は、レンズユニット１５０をデジタルカメラ１００に取り付けた状態でも視認できるが、カメラマウント指標（第２の指標）２０９は視認できない位置に配設されている。レンズマウント指標３０５とカメラマウント指標２０９は、カメラマウント２０１とレンズマウント３０１の相対的な位置関係（回転位相）が、前述した装着準備位置（非ロック位置）において一致する。デジタルカメラ１００とレンズユニット１５０の取り付け部であるマウント構成については後述する。
【００１９】
表示部２８は画像や各種情報を表示する、カメラ背面に設けられた表示部である。タッチパネル７０ａは、表示部２８の表示面（操作面）に対するタッチ操作を検出することができる。ファインダー外表示部４３は、カメラ上面に設けられた表示部であり、シャッター速度や絞りをはじめとするカメラの様々な設定値が表示される。シャッターボタン６１は撮影指示を行うための操作部である。モード切替スイッチ６０は各種モードを切り替えるための操作部である。端子カバー４０は外部機器との接続ケーブルとデジタルカメラ１００とを接続する接続ケーブル等のコネクタ（不図示）を保護するカバーである。メイン電子ダイヤル７１は操作部７０に含まれる回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は操作部７０に含まれ、操作部７０に含まれる回転操作部材であり、選択枠の移動や画像送りなどを行える。十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。
【００２０】
ＡＥロックボタン７７は操作部７０に含まれ、撮影待機状態で押下することにより、露出状態を固定することができる。拡大ボタン７８は操作部７０に含まれ、撮影モードのライブビュー表示において拡大モードのＯＮ、ＯＦＦを行うための操作ボタンである。拡大モードをＯＮとしてからメイン電子ダイヤル７１を操作することにより、ＬＶ画像の拡大、縮小を行える。再生モードにおいては再生画像を拡大し、拡大率を増加させるための拡大ボタンとして機能する。再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。作部７０には、メニューボタン（不図示）が含まれ、メニューボタンが押されると各種の設定可能なメニュー画面が表示部２８に表示される。ユーザーは、表示部２８に表示されたメニュー画面と、十字キー７４やＳＥＴボタン７５を用いて直感的に各種設定を行うことができる。
【００２１】
接眼部１６は、接眼ファインダー（覗き込み型のファインダー）の接眼部であり、ユーザーは、接眼部１６を介して内部のＥＶＦ２９に表示された映像を視認することができる。接眼検知部５７は接眼部１６に撮影者が接眼しているか否かを検知する接眼検知センサーである。蓋８１は記録媒体２００を格納したスロットの蓋である。グリップ部９０は、ユーザーがデジタルカメラ１００を構えた際に右手で握りやすい形状とした保持部である。グリップ部９０を右手の小指、薬指、中指で握ってデジタルカメラを保持した状態で、右手の人差指で操作可能な位置にシャッターボタン６１、メイン電子ダイヤル７１が配置されている。また、同じ状態で、右手の親指で操作可能な位置に、サブ電子ダイヤル７３が配置されている。また、カメラ側マウント２０１はレンズユニット１５０などのカメラアクセサリを装着し、端子群１０はデジタルカメラ１００がレンズ側（着脱可能）と通信を行う為の通信端子などを含む電気的な接続接点である。
【００２２】
図４は、デジタルカメラ１００とレンズユニット１５０のハードウェア構成例を示す概略ブロック図である。
【００２３】
図４において、レンズユニット１５０は、交換可能な撮影レンズを搭載するレンズユニットである。レンズ１０３は通常、複数枚のレンズから構成されるが、ここでは簡略して１枚のレンズのみで示している。端子群６および端子群１０は、レンズユニット１５０とデジタルカメラ１００とが互いに通信を行う為の通信端子や、デジタルカメラ１００からレンズユニット１５０への電源供給を行うための端子などを含む、電気的な接続に用いられる電気的な接点である。レンズユニット１５０は、この端子群６，１０を介してシステム制御部５０と通信し、内部のレンズシステム制御回路４によって絞り駆動回路２を介して絞り１の制御を行い、ＡＦ駆動回路３を介して、レンズ１０３の位置を変位させることで焦点を合わせる。
【００２４】
ＡＥセンサー１７は、レンズユニット１５０を通した被写体の輝度を測光する。
【００２５】
焦点検出部１１は、システム制御部５０にデフォーカス量情報を出力する。システム制御部５０はそれに基づいてレンズユニット１５０を制御し、位相差ＡＦを行う。焦点検出部１１は、専用の位相差センサーでもよいし、撮像部２２の撮像面位相差センサーとして構成しても良い。
【００２６】
シャッター１０１は、システム制御部５０の制御で撮像部２２の露光時間を自由に制御できるフォーカルプレーンシャッターである。
【００２７】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２８】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理を行う。画像処理部２４により得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理を行う。
【００２９】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８、ＥＶＦ２９に表示するための画像データを格納する。メモリ３２は、所定枚数の静止画像や所定時間の動画像および音声を格納するのに十分な記憶容量を備えている。
【００３０】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８、ＥＶＦ２９に供給する。こうして、メモリ３２に書き込まれた表示用の画像データはＤ／Ａ変換器１９を介して表示部２８、ＥＶＦ２９により表示される。表示部２８、ＥＶＦ２９は、ＬＣＤや有機ＥＬ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８またはＥＶＦ２９に逐次転送して表示することで、ライブビュー表示（ＬＶ表示）を行える。以下、ライブビューで表示される画像をライブビュー画像（ＬＶ画像）と称する。
【００３１】
ファインダー外表示部４３には、ファインダー外表示部駆動回路４４を介して、シャッター速度や絞りをはじめとするカメラの様々な設定値が表示される。
【００３２】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００３３】
システム制御部５０は、少なくとも１つのプロセッサーまたは回路からなる制御部であり、デジタルカメラ１００全体を制御する。前述した不揮発性メモリ５６に記録されたプログラムを実行することで、後述する本実施形態の各処理を実現する。システムメモリ５２には、例えばＲＡＭが用いられ、システム制御部５０の動作用の定数、変数、不揮発性メモリ５６から読み出したプログラム等が展開される。また、システム制御部５０はメモリ３２、Ｄ／Ａ変換器１９、表示部２８等を制御することにより表示制御も行う。
【００３４】
システムタイマー５３は各種制御に用いる時間や、内蔵された時計の時間を計測する計時部である。
【００３５】
モード切替スイッチ６０、第１シャッタースイッチ６２、第２シャッタースイッチ６４、操作部７０はシステム制御部５０に各種の動作指示を入力するための操作手段である。モード切替スイッチ６０は、システム制御部５０の動作モードを静止画撮影モード、動画撮影モード、再生モード等のいずれかに切り替える。静止画撮影モードに含まれるモードとして、オート撮影モード、オートシーン判別モード、マニュアルモード、絞り優先モード（Ａｖモード）、シャッター速度優先モード（Ｔｖモード）、プログラムＡＥモード（Ｐモード）、がある。また、撮影シーン別の撮影設定となる各種シーンモード、カスタムモード等がある。モード切替スイッチ６０より、ユーザーは、これらのモードのいずれかに直接切り替えることができる。あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００３６】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の撮影準備動作を開始する。
【００３７】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しからメモリ３２の記録領域および記録媒体２００に撮像された画像を画像ファイルとして書き込むまでの一連の撮影処理の動作を開始する。
【００３８】
操作部７０は、ユーザーからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、動画ボタン７６、ＡＥロックボタン７７、拡大ボタン７８、再生ボタン７９。また、タッチパネル７０ａと表示部２８とは一体的に構成されている。例えば、タッチパネル７０ａは光の透過率が表示部２８の表示を妨げないように構成され、表示部２８の表示面の上層に取り付けられる。そして、タッチパネル７０ａにおける入力座標と、表示部２８の表示画面上の表示座標とを対応付ける。これにより、あたかもユーザーが表示部２８上に表示された画面を直接的に操作可能であるかのようなＧＵＩ（グラフィカルユーザーインターフェース）を提供できる。
【００３９】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプタ等からなる。
【００４０】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００４１】
通信部５４は、無線または有線ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。また、通信部５４は、Ｂｌｕｅｔｏｏｔｈ（登録商標）やＢｌｕｅｔｏｏｔｈ  Ｌｏｗ  Ｅｎｅｒｇｙでも外部機器と通信可能である。通信部５４は撮像部２２で撮像した画像（ＬＶ画像を含む）や、記録媒体２００に記録された画像を送信可能であり、また、外部機器から画像やその他の各種情報を受信することができる。
【００４２】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像であるかを判別可能である。システム制御部５０は、姿勢検知部５５で検知された姿勢に応じた向き情報を撮像部２２で撮像された画像の画像ファイルに付加したり、画像を回転して記録したりすることが可能である。姿勢検知部５５としては、加速度センサーやジャイロセンサーなどを用いることができる。姿勢検知部５５である、加速度センサーやジャイロセンサーを用いて、デジタルカメラ１００の動き（パン、チルト、持ち上げ、静止しているか否か等）を検知することも可能である。
【００４３】
接眼検知部５７はファインダーの接眼部１６に対する目（物体）の接近（接眼）および離反（離眼）を検知する（接近検知）、接眼検知センサーである。システム制御部５０は、接眼検知部５７で検知された状態に応じて、表示部２８とＥＶＦ２９の表示（表示状態）／非表示（非表示状態）を切り替える。より具体的には、少なくとも撮影待機状態で、かつ、表示先の切替が自動切替である場合において、非接眼中は表示先を表示部２８として表示をオンとし、ＥＶＦ２９は非表示とする。また、接眼中は表示先をＥＶＦ２９として表示をオンとし、表示部２８は非表示とする。接眼検知部５７は、例えば赤外線近接センサーを用いることができ、ＥＶＦ２９を内蔵するファインダーの接眼部１６への何らかの物体の接近を検知することができる。物体が接近した場合は、接眼検知部５７の投光部（図示せず）から投光した赤外線が反射して赤外線近接センサーの受光部（図示せず）に受光される。受光された赤外線の量によって、物体が接眼部１６からどの距離まで近づいているか（接眼距離）も判別することができる。このように、接眼検知部５７は、接眼部１６への物体の近接距離を検知する接眼検知を行う。非接眼状態（非接近状態）から、接眼部１６に対して所定距離以内に近づく物体が検出された場合に、接眼されたと検出するものとする。接眼状態（接近状態）から、接近を検知していた物体が所定距離以上離れた場合に、離眼されたと検出するものとする。接眼を検出する閾値と、離眼を検出する閾値は例えばヒステリシスを設けるなどして異なっていてもよい。また、接眼を検出した後は、離眼を検出するまでは接眼状態であるものとする。離眼を検出した後は、接眼を検出するまでは非接眼状態であるものとする。なお、赤外線近接センサーは一例であって、接眼検知部５７には、接眼とみなせる目や物体の接近を検知できるものであれば他のセンサーを採用してもよい。
【００４４】
（マウント構成の詳細説明）
次にデジタルカメラ１００とレンズユニット１５０の取り付け部であるマウント構成について説明する。
【００４５】
図５は、本実施形態に係るデジタルカメラ１００とレンズユニット１５０の分解斜視図を例示的に説明する図である。図５Ａはデジタルカメラ１００の分解斜視図、図５Ｂはレンズユニット１５０の分解斜視図をそれぞれ示している。
【００４６】
図５Ａに図示するように、カメラマウント２０１は、デジタルカメラ１００側のマウント部材である。
【００４７】
ロックピン２０２は、デジタルカメラ１００とカメラアクセサリとの装着状態を規制（ロック）するための規制手段（ロック部材）である。ロックピン２０２はロックピン付勢バネ２０３により付勢されており、レンズユニット１５０がデジタルカメラ１００に装着された際に、ロックピン２０２がレンズマウント３０１のロックピン溝３０１ｚに入り込み、互いの装着状態をロックする。
【００４８】
また、ロック解除ボタン２０４を押すことでロックピン２０２はロックピン溝３０１ｚから退避し、レンズユニット１５０を取り外すことができる。ロック解除ボタン２０４はカメラマウント２０１の外周部に設けられているマウントカバー２０５に保持される。なお、ロック解除ボタン２０４は、デジタルカメラ１００の内部でマウントカバー２０５によって保持されている。また、ロック解除ボタン２０４は、カメラマウント識別リング２０６の外周に沿った形状を備え、カメラマウント識別リング２０６の外周に沿って配されている。
【００４９】
マウントカバー２０５には、円筒部分の全周に筒状のカメラマウント識別リング２０６が取り付けられる。すなわち、カメラマウント２０１とマウントカバー２０５は、カメラマウント識別リング２０６により外部を覆われており、カメラマウント識別リング２０６はデジタルカメラ１００の外部に露出した部分を備えた外観を形成している。
【００５０】
カメラマウント識別リング２０６は、カメラマウント２０１の色とは異なる特定色で形成され、リング状のカメラマウント２０１の外縁（周囲）に沿って配された筒状部材である。具体的に、カメラマウント識別リング２０６は、金属材料であるステンレス材で形成されたカメラマウント２０１とは異なる金属材料であるアルミニウム材で形成されており、加色アルマイト処理により特定色となるように構成されている。したがって、デジタルカメラ１００にレンズユニット１５０を装着した状態でも、図１、図２の網掛け（ハッチング）部分で示すカメラマウント識別リング２０６の特定色は、デジタルカメラ１００の外観を形成し、ユーザーにより視認することができる。特に、カメラマウント識別リング２０６は、前述したように特定色となるように構成されているため、デジタルカメラ１００へのレンズユニット１５０の装着有無に依らずに、ユーザーによる外部からの視認性に優れている。
【００５１】
カメラマウント２０１の中心軸を基準（中心）とした場合、外側に向かって、カメラマウント２０１、マウントカバー２０５、カメラマウント識別リング２０６の順に配されている。カメラマウント２０１の中心軸は、デジタルカメラ１００にレンズユニット１５０が装着された状態で、レンズユニット１５０の光軸と略一致する。また、前述したように、カメラマウント識別リング２０６とカメラマウント２０１は金属材料により形成されている。したがって、近接して設けられた両者の電位差による異種金属腐食が起きないように、間に非導電性の樹脂材料で形成された保護部材としてマウントカバー２０５を設けている。
【００５２】
カメラ側端子保持部材２０７は、デジタルカメラ１００に設けられた複数の端子群（接点ピン）１０を保持するための保持手段である。
【００５３】
カメラ本体部材２０８は、カメラ本体１０の各部を保持する筐体である。具体的に、前述のカメラマウント２０１、マウントカバー２０５、カメラ側端子保持部材２０７は、不図示の締結ビスにより、カメラ本体部材２０８に締結（保持）されている。また、カメラ本体部材２０８は、マウントシステムに係るデジタルカメラ１００側の部材以外に、上述した撮像部２２やシャッターユニット１０１も保持する。
【００５４】
次に、図５Ｂに図示するように、レンズユニット１５０に設けられた前玉レンズ１０３ａ、および後玉レンズ１０３ｂは撮影レンズ１０３を構成する光学部材である。通常、撮影レンズはレンズユニット１５０内に複数配置されているが、本実施形態では、図面簡略化のため、被写体側の端に配置された前玉レンズ１０３ａとカメラ本体１０側の端に配置された後玉レンズ１０３ｂのみを図示している。なお、前述したレンズユニット１５０の光軸は、撮影レンズ１０３が結ぶ光軸と同義である。
【００５５】
レンズマウント３０１は、レンズユニット１５０側のマウント部材である。レンズ鏡筒３０２は、撮影レンズ１０３を保持するレンズ保持部材である。なお、レンズマウント３０１は、例えば、不図示の締結ビスにより、レンズ鏡筒３０２に締結（保持）されている
【００５６】
レンズ側端子保持部材３０３は、上述したレンズユニット１５０側に設けられた複数の端子群（接点面）６を保持するための保持手段である。レンズ接点部保持部材３０３は、レンズマウント３０１に不図示の締結ビスで締結されている。
【００５７】
リング状のレンズマウント３０１の全周に、レンズマウント３０１の色とは異なる特定色を備えたレンズマウント識別リング３０４が取り付けられている。レンズマウント識別リング３０４の特定色部分は、レンズ鏡筒３０２の外部に露出した外観を形成しており、外部から見た場合に、レンズ鏡筒３０２と繋がって見える。すなわち、レンズマウント３０１は、円筒形状のレンズマウント識別リング３０４により外部を覆われている。換言すると、レンズマウント識別リング３０４は、レンズマウント３０１の外縁（周囲）に沿って配された筒状部材である。
【００５８】
レンズマウント識別リング３０４は、カメラマウント識別リング２０６と同様に、アルミニウム材で形成されており、加色アルマイト処理により特定色となるように構成されている。なお、レンズマウント３０１は、金属材料であるステンレス材で形成されており、レンズマウント識別リング３０４とレンズマウント３０１とは、互いに異なる金属材料により形成されている。
【００５９】
カメラマウント識別リング２０６とレンズマウント識別リング３０４は、同一の特定色となるように構成されている。なお、カメラマウント２０１とレンズマウント３０１とも、互いに略同一の色となるように構成されている。したがって、カメラマウント識別リング２０６とレンズマウント識別リング３０４とは同一の特定色を備え、カメラマウント２０１とレンズマウント３０１とは、上述した特定色と明確に識別できる色で構成されている。さらに、カメラマウント識別リング２０６とレンズマウント識別リング３０４の特定色は、デジタルカメラ１００およびレンズユニット１５０の外装部分（例えば、レンズ鏡筒３０２など）の主たる色とも異なる色となるように構成されている。この構成により、ユーザーは、カメラマウント識別リング２０６とレンズマウント３０４の特定色部分を、デジタルカメラ１００およびレンズユニット１５０の他の部分と明確に識別することができる。なお、本実施形態では、カメラマウント識別リング２０６とレンズマウント識別リング３０４の特定色は、互いに同一の金属材料を採用し同一の処理を施すことで実現しているが、少なくとも、両者が略同一の特定色を備える構成であればよい。
【００６０】
レンズマウント識別リング３０４は、レンズマウント３０１のカメラマウント２０１と当接する基準面と直交する周方向に配され、特定色部分がレンズユニット１５０の外観を形成している。したがって、図１、図２の網掛け（ハッチング）部分で示すように、デジタルカメラ１００にレンズユニット１５０が装着された状態でも、レンズユニット１５０の外観を形成するレンズマウント識別リング３０４の特定色部分をユーザーが視認することができる。そして、カメラマウント識別リング２０６とレンズマウント識別リング３０４を同様の特定色にすることで、デジタルカメラ１００へのレンズユニット１５０の装着有無に依らず、互いが対応する組み合わせである（互換性がある）ことを容易に識別できる。
【００６１】
また、デジタルカメラ１００にレンズユニット１５０が装着された状態で、カメラマウント２０１とレンズマウント３０１の基準面同士が当接する。そして、この状態で、光軸（中心軸）に対してカメラマウント２０１とレンズマウント３０１よりも外側に、カメラマウント識別リング２０６とレンズマウント識別リング３０４が位置する。デジタルカメラ１００にレンズユニット１５０が装着された状態では、カメラマウント識別リング２０６とレンズマウント識別リング３０４とが直接当接しないような所定のクリアランスが形成される。そして、レンズユニット１５０には、デジタルカメラ１００にレンズユニット１５０が装着された状態で、このクリアランス部分に収まり、かつ、レンズユニット１５０の非装着時と比較して所定量が押し潰されるような弾性を備えたシーリング部材が配されている。したがって、デジタルカメラ１００にレンズユニット１５０が装着された状態で、各識別リングの間に形成されたクリアランス部分にシーリング部材が収まり、マウントシステムの内部に対する防滴および防塵性能を向上させることができる。
【００６２】
次に、デジタルカメラ１００と装着されたレンズユニット１５０のレンズマウント識別リング３０４とレンズ鏡筒３０２の形状との関係性を例示的に説明する。図６は、本実施形態に係る、デジタルカメラ１００およびレンズユニット１５０の各部とカメラマウント識別リング２０６およびレンズマウント識別リング３０４との関係性を例示的に説明する図である。図６Ａは、ロック解除ボタン２０４とカメラマウント識別リング２０６およびレンズマウント識別リング３０４との関係性を例示的に説明する図である。また、図６Ｂは、グリップ部９０とカメラマウント識別リング２０６およびレンズマウント識別リング３０４との関係性を例示的に説明する図である。
【００６３】
レンズ鏡筒３０２は、ロック解除ボタン２０４の周辺部（近傍）に第１の凹部（ロック解除ボタン側凹部）３０２ａが設けられている。この第１の凹部３０２ａは、後述する第２の凹部３０２ｂと同様に、レンズユニット１５０の外部に露出し外観を形成するレンズマウント識別リング３０４の部分を、他の部分よりも広く（大きく）することで、ユーザーがロック解除ボタン２０４を押しやすい構成としている。また、レンズユニット１５０の外観において、第１の凹部３０２ａに、レンズマウント指標３０５を設けることで、他の部分よりもレンズマウント指標３０５を強調できるため、ユーザーがレンズマウント指標３０５を容易に視認することができる。
【００６４】
グリップ部９０の周辺部（近傍）に第２の凹部（グリップ側凹部）３０２ｂが設けられている。この第２の凹部３０２ｂは、前述した第１の凹部３０２ａと同様に、レンズユニット１５０の外部に露出し外観を形成するレンズマウント識別リング３０４の部分を、他の部分よりも広く（大きく）することで、ユーザーがグリップ部９０を把持しやすい構成としている。
【００６５】
これに対して、レンズ鏡筒３０２の第１の凹部３０２ａ、第２の凹部３０２ｂ以外の部分は、マウント結合部分への異物の侵入防止、マウント結合部分および識別リング自体の保護のため、レンズマウント識別リング３０４の外部への露出部分を狭くしている。さらに、レンズ鏡筒３０２の全周ではなく、第１の凹部３０２ａ、第２の凹部３０２ｂにおけるレンズマウント識別リング３０４の特定色部分の外部への露出量を大きくすることで、レンズユニット１５０の小型化が可能となる。
【００６６】
次に、カメラマウント２０１に対するレンズマウント３０１の回転位相（装着位相）を視認するためのレンズマウント指標３０５とレンズマウント識別リング３０４およびレンズ鏡筒３０２の関係性について説明する。図７は、本実施形態に係る、レンズ鏡筒３０２およびレンズマウント識別リング３０４とレンズマウント指標３０５との関係性について例示的に説明する図であって、例示的に、ユーザーの手によりレンズユニット１５０が把持されている状態を示している。
【００６７】
図７に図示するように、レンズマウント指標３０５は、レンズマウント識別リング３０４の側面に設けられており、ユーザーによる識別を容易とするため、レンズマウント識別リング３０４の特定色とは異なる色で構成されている。なお、レンズ指標３０５は、レンズユニット１５０がデジタルカメラ１００に装着された状態であってもユーザーが容易に視認できるように、レンズマウント３０１の基準面と略同じ面内ではなく、レンズマウント識別リング３０４の側面に設ける。
【００６８】
レンズマウント指標３０５の周辺には、前述したレンズ鏡筒３０２に設けられた第１の凹部３０２ａが設けられている。換言すると、第１の凹部３０２ａによって他の部分よりもレンズマウント識別リング３０４の露出部が広い位置にレンズマウント指標３０５を設ける。この構成により、レンズユニット１５０の装着有無に依らず、またユーザーによりレンズユニット１５０が把持されている場合においても、レンズマウント指標３０５の視認性を向上させることができる。なお、第２の凹部３０２ｂではなく第１の凹部３０２ａの近傍にレンズマウント指標３０５を設けるため、レンズユニット１５０をデジタルカメラ１００に装着した際にも、グリップ部９０によりレンズマウント指標３０５の視認性が低下するのを防止できる。
【００６９】
以上、本発明の好ましい実施形態について説明したが、本発明はこの実施形態に限定されず、その要旨の範囲内で種々の変形及び変更が可能である。例えば、前述した実施形態では、撮像装置の一例としてデジタルカメラを採用した場合について説明したが、デジタルビデオカメラやセキュリティカメラなど、デジタルカメラ以外の撮像装置を採用する構成であってもよい。
【００７０】
また、前述した実施形態では、撮像装置に着脱可能なアクセサリ（カメラアクセサリ）が、レンズユニット１５０である場合について説明したが、カメラアクセサリとしては、撮像装置に着脱可能なものであればどのような機器を採用してもよい。例えば、カメラアクセサリとして、他のカメラアクセサリとデジタルカメラ１００との間に挿入可能なアダプタ（変換アダプタ）を採用する構成であってもよい。
【００７１】
図８は、デジタルカメラ１００に装着可能な種々のアダプタとデジタルカメラ１００との対応関係について例示的に説明する図である。図８Ａは、対応するフランジバックや画角などがレンズユニット（第１のレンズユニット）１５０とは異なる第２のレンズユニット５００を装着するための第１のアダプタ６００を説明する概略図である。図８Ｂは、レンズユニット（第１のレンズユニット）１５０とデジタルカメラ１００との間に挿入される第２のアダプタ４００を説明する概略図である。ここで、第２のアダプタは、デジタルカメラ１００への直接装着に対応したカメラアクセサリ（図中のレンズユニット１５０）とデジタルカメラ１００との間に挿入されるアダプタである。すなわち、第１のアダプタ６００は、デジタルカメラ１００との直接的な装着に係る互換性がないレンズユニットをデジタルカメラ１００に間接的に装着するためのカメラアクセサリである。また、第２のアダプタ４００は、デジタルカメラ１００との直接的な装着に係る互換性があるレンズユニットをデジタルカメラ１００に間接的に装着するためのカメラアクセサリである。何れのアダプタにおいても、フランジバック等の調整のために内部に光学系を備える構成であってもよい。
【００７２】
図８Ａ、Ｂに図示するように、第２のアダプタ４００は、レンズユニット１５０と同様に、カメラマウント識別リング２０６と同様に外周部分に特定色のアダプタマウント識別リング４０２を備える。具体的に、第２のアダプタ４００は、カメラ取付け側マウント４０１の外周に、カメラマウント識別リング２０６と同様の特定色のアダプタマウント識別リング４０２を備えている。また、不図示だが前述したレンズユニット１５０のレンズマウント指標３０５と同様にマウント指標を備えている。図８Ｂでは、第２のアダプタ４００のレンズ取付け側マウント４０３の外周には識別リングを設けていない例を示しているが、レンズマウント識別リング３０４と同様に特定色の識別リングを備える構成であってもよい。これに対して、第１のアダプタ６００は、カメラマウント識別リング２０６やレンズマウント識別リング３０４と同様の識別リングは備えていない。
【００７３】
以上説明した構成であれば、デジタルカメラ１００との直接的な互換性があるレンズユニット（カメラアクセサリ）に対応したアダプタであるか否かを、特定色を備えた識別リングの有無により、ユーザーが容易に視認し識別することができる。
【００７４】
また、前述した実施形態では、カメラマウント識別リング２０６とレンズマウント識別リング３０４とが、同一の金属材料により形成され同一の処理が施されることで、それぞれが同様の特定色を備える構成について説明したが、これに限定されるものではない。カメラマウント識別リング２０６とレンズマウント識別リング３０４とは、少なくとも、それぞれが対応する撮像装置とカメラアクセサリの組み合わせであることを識別できるような同系色で構成されていれば、材質や処理の仕方は限定されるものではない。
【００７５】
また、前述した実施形態では、カメラマウント識別リング２０６とレンズマウント識別リング３０４が、カメラマウント２０１とレンズマウント３０１の全周を覆う筒状部材（リング部材）である構成について説明したが、これに限定されるものではない。例えば、少なくとも、それぞれが対応する撮像装置とカメラアクセサリの組み合わせであることを識別できれば、カメラマウント識別リング２０６とレンズマウント識別リング３０４の一部が切り欠かれている構成であってもよい。
【００７６】
さらに、前述した実施形態では、レンズ鏡筒３０２とレンズマウント識別リング３０４とが別部材で形成され、レンズ鏡筒３０２に２つの凹部を設けることで、レンズマウント識別リング３０４の領域ごとに、外部に露出する量を異ならせた。しかしながら、レンズ鏡筒３０２とレンズマウント識別リング３０４とが一体的に形成された構成であってもよい。また、レンズ鏡筒３０２とレンズマウント識別リング３０４との繋ぎ目部分において、レンズ鏡筒３０２の形に合わせて形成されたレンズマウント識別リング３０４を採用する構成であってもよい。すなわち、レンズマウント識別リング３０４の特定色部分が、レンズユニット１５０の外部へ露出しているような外観を形成し、ユーザーから見て、レンズマウント識別リング３０４の特定の領域の露出が、他の領域より大きく見える構成であればよい。
【００７７】
また、前述した実施形態では、撮像装置の一例としてデジタルカメラを採用した場合について説明したが、デジタルビデオカメラやセキュリティカメラなど、デジタルカメラ以外の撮像装置を採用する構成であってもよい。
【００７８】
本発明は上記実施の形態に制限されるものではなく、本発明の精神及び範囲から離脱することなく、様々な変更及び変形が可能である。従って、本発明の範囲を公にするために以下の請求項を添付する。
【図１】
2020031371.tif 000003
【図２Ａ】
2020031371.tif 000004
【図２Ｂ】
2020031371.tif 000005
【図３Ａ】
2020031371.tif 000006
【図３Ｂ】
2020031371.tif 000007
【図４】
2020031371.tif 000008
【図５Ａ】
2020031371.tif 000009
【図５Ｂ】
2020031371.tif 000010
【図６Ａ】
2020031371.tif 000011
【図６Ｂ】
2020031371.tif 000012
【図７】
2020031371.tif 000013
【図８Ａ】
2020031371.tif 000014
【図８Ｂ】
2020031371.tif 000015
【国際調査報告】
2020031371.tif 000016
2020031371.tif 000017
2020031371.tif 000018
2020031371.tif 000019